(57)【要約】【課題】土石流の先頭部を形成しない場合や、細粒土砂で構成される土石流に対しても捕捉機能を有し、一旦、捕捉した土砂の再移動を防止し、土石流発生までに停留した土砂の除去が容易とする泥流型土石流捕捉用砂防堰堤を実現する。【解決手段】泥流型土石流捕捉用砂防堰堤１のスリット３の上流側開口の下部のみに開口部５を残して、上流側開口を塞ぐ塞ぎ板４を設け、開口部５の下流側に位置してスリット３内のコンクリート基礎部６上にマウント９を設け、マウント９には１又は２以上の上流側と下流側とを貫通する溝１０を設けた。【選択図】    図１
2004316081.tif 000002
【特許請求の範囲】
【請求項１】
スリットを有する砂防堰堤本体を備え、河川における土石流が流下し堆積する区間に構築して、河川の砂礫を捕捉する泥流型土石流捕捉用砂防堰堤であって、
上記スリットの上流側開口の下部のみに開口部を残して、該上流側開口を塞ぐ塞ぎ板を設け、
上記開口部の下流側に位置して上記スリット内のコンクリート基礎部上にマウントを設け、該マウントには１又は２以上の上流側と下流側とを貫通する溝を設けた構成であることを特徴とする泥流型土石流捕捉用砂防堰堤。
【請求項２】
上記塞ぎ板は、上記スリットの上流側の砂防堰堤本体の面に当接して固定する構造又は上記スリット内の上記コンクリート基礎部上に起立して設けた扶壁で下流側から支持されて固定されている構造であることを特徴とする請求項１に記載の泥流型土石流捕捉用砂防堰堤。
【請求項３】
スリットを有する砂防堰堤本体を備え、河川における土石流が流下し堆積する区間に構築して、河川の砂礫を捕捉する泥流型土石流捕捉用砂防堰堤であって、
上記スリットの上流側開口の下部のみに開口部を残して、該上流側開口を塞ぐ塞ぎ用ネット又は塞ぎ用格子を設け、
上記開口部の下流側に位置して上記スリット内のコンクリート基礎部上にマウントを設け、該マウントには１又は２以上の上流側と下流側とを貫通する溝を設けた構成であることを特徴とする泥流型土石流捕捉用砂防堰堤。
【請求項４】
上記開口部の上縁部と上記マウントの上縁部との間に、補助ネットを張設したことを特徴とする請求項１、２又は３に記載の泥流型土石流捕捉用砂防堰堤。
【請求項５】
スリットを有する砂防堰堤本体を備え、河川における土石流が流下し堆積する区間に構築して、河川の砂礫を捕捉する泥流型土石流捕捉用砂防堰堤であって、
上記スリットの上流側開口の下部のみに開口部を残して、該上流側開口を塞ぐとともに、該開口部の下流側で上記スリット内のコンクリート基礎部上に下流側塞ぎ棒材を配設する骨組構造物を設けたことを特徴とする泥流型土石流捕捉用砂防堰堤。
【請求項６】
上記骨組構造物は、上方に傾斜して起立し、河川横断方向に間隔をおいてコンクリート基礎部に固定された複数本の縦棒材と、該複数本の縦棒材を下流側から支え上記コンクリート基礎部に固定された複数本の支持棒材と、上記複数本の縦棒材に上下方向に隙間を形成するように間隔をおいて水平に取り付けられた複数本の上流側塞ぎ棒材と、上記複数本の支持棒材に直交して水平に取り付けられる上記下流側塞ぎ棒材と、から成ることを特徴とする請求項１６記載の泥流型土石流捕捉用砂防堰堤。
【発明の詳細な説明】
【０００１】
【発明の属する技術分野】
本発明は、河川における土石流が流下し堆積する区間に構築して、河川を流下する砂礫及び細粒分の土砂を含む土石流を捕捉する泥流型土石流捕捉用砂防堰堤である。
【０００２】
【従来の技術】
従来の河川における土石流捕捉用砂防堰堤をタイプ別に説明する。
（１）鋼製透過型砂防ダム（図６参照）
図６（ａ）〜（ｃ）は、鋼製透過型砂防ダム４１の構成及びその作用を説明する図である。この鋼製透過型砂防ダム４１は、約直径６００ｍｍの鋼管を組み合わせ、格子状あるいは串状に構築し、河川に設置するものである。図６（ａ）は、河川の流れが平常の場合の掃流状態である。そして、河床４２を流下する細かい砂礫はこの鋼製透過型砂防ダム４１の開口部４３を通過し、下流域に供給される。
【０００３】
洪水時等において、土石流が発生した場合には、土石流の先頭部に巨礫４４が集中する性質に起因して、図６（ｂ）に示すように、鋼製透過型砂防ダム４１の開口部４３が巨礫群により閉塞される。このように開口部４３が閉塞されると、図６（ｃ）に示すように、後続の土砂４５も一緒に捕捉することができる。
【０００４】
ところで、鋼製透過型砂防ダム４１では、土石流を効率よく捕捉するために、図６（ｄ）に示すように、スリット幅ｗを土石流中の最大礫径ｄの１．５倍に設定している。この最大礫径ｄとスリット間隔ｗの関係は、土石流の先頭部を効率よく捕捉するために設定されたのである。
【０００５】
このため、鋼製透過型砂防ダム４１が機能を発揮するためには、図６（ｅ）に示すように、河床勾配（傾斜角度α）がきつく、土石流４６の先頭部に巨礫群が存在する必要がある。しかしながら、図６（ｆ）に示すように、河床勾配（傾斜角度β）が緩いと礫４４が集合して流下せず、そもそも河川に礫が少ない場合には土石流の先頭部を形成することができない。このような状態では、土石流４６を捕捉することができない。なお、このような構造の透過型砂防ダムの公知例として例えば、特許文献１がある。
【０００６】
（２）コンクリートスリット砂防ダム（図７参照）
図７（ａ）は、コンクリートスリット砂防ダムの斜視図を示し、図７（ｂ）〜（ｅ）は、その作用を説明する図である。このコンクリートスリット砂防ダム４７は、コンクリート壁状体４８に河床から水通し天端に方向にスリット４９を設けたものである。河床を流下する砂礫はこのスリット４９を通過し、下流域に供給される。
【０００７】
河床勾配が緩いと、図７（ａ）に示すように、石礫は土石流形態で流下せず掃流状態となる。洪水時には、図７（ｃ）、（ｄ）に示すように、スリット４９により流水が堰上げられ、砂防ダム４７上流は湛水する。ここに流下してきた砂礫は、図７（ｄ）に示すように、湛水域に流入すると流下の勢いを減じ、堆砂肩５０を形成しながら停留する。こうして停留された砂礫は、洪水末期には堆砂肩５０が崩れ、図４（ｆ）に示すように再びスリット４９から流水とともに下流域に供給される。
【０００８】
河床勾配が急で土石流先頭部が形成されるところでは、土石流がダムに到達するまでに先行流があると、スリットで堰上げられる。ここに土石流の先頭部が到達すると巨礫群がほぐれ、スリット部が閉塞しない可能性がある。このため、コンクリートスリット砂防ダムは、土石流捕捉に不向きとされている。
【０００９】
したがって、コンクリートスリット砂防ダム４７のように堰上げを利用した透過型砂防ダムでは、一旦、貯留した土砂が再びスリットから下流に供給されるため、土石流捕捉としての確実性に欠けるという問題がある。なお、このような構造のコンクリートスリット砂防ダムの公知例として例えば、特許文献１がある。
【００１０】
（３）暗渠付き砂防ダム（図８参照）
図８（ａ）は、暗渠付き砂防ダムの斜視図を示し、図８（ｂ）〜（ｄ）は、その作用を説明する図である。この暗渠付き砂防ダム５１は、図８（ａ）に示すように、コンクリート製の砂防ダム５２下部に、河川の水の流れる方向に砂礫が通過可能な孔５３（暗渠）を設けたものである。
【００１１】
通常の流水に含まれる土砂は、この孔５３を通して下流供給される。洪水時には、図８（ｂ）に示すように、流水が堰上げられ、砂防ダム上流は湛水する。ここに流下してきた砂礫は、図７（ｃ）に示すように、湛水域に流入すると流下の勢いを減じ、堆砂肩５４を形成しながら停留する。
【００１２】
この孔５３の大きさを任意に調整することで、スリットダムと同様の堰上げ効果による土砂停留の効果を期待できる。一旦、孔５３が目詰まりするとコンクリートスリット砂防ダムのような土砂の再移動が起こりにくい。
【００１３】
暗渠付き砂防ダム５１は、土砂により暗渠が塞がることで、土砂の再移動がなくなる代わりに、一旦目詰まりが生じると、図８（ｄ）に示すように、上流域が土砂により埋もれ始めるため、そのまま放置すると暗渠を閉塞している流木や石礫を取り除くためには、上流に堆積した土砂を全量取り除く必要があり、ふさがった暗渠を回復させるための作業が大変になる。さらに、土石流が発生するまでの、中小洪水や平常時の流れでも流木や土砂により暗渠が目詰まりしやすい。
【００１４】
【特許文献１】
特開昭５４−１１５５２０号公報（第２頁、第１図、第４図参照）
【００１５】
【発明が解決しようとする課題】
本発明は、上記従来の問題点を解決することを目的とするものであり、特に次の点を課題とする。
▲１▼土石流の先頭部を形成しない場合や、細粒土砂で構成される土石流に対しても捕捉機能を有する。
▲２▼一旦、捕捉した土砂の再移動を防止する。
▲３▼土石流発生までに停留した土砂の除去が容易である。
【００１６】
【課題を解決するための手段】
本発明は上記課題を解決するために、スリットを有する砂防堰堤本体を備え、河川における土石流が流下し堆積する区間に構築して、河川の砂礫を捕捉する泥流型土石流捕捉用砂防堰堤であって、上記スリットの上流側開口の下部のみに開口部を残して、該上流側開口を塞ぐ塞ぎ板を設け、上記開口部の下流側に位置して上記スリット内のコンクリート基礎部上にマウントを設け、該マウントには１又は２以上の上流側と下流側とを貫通する溝を設けた構成であることを特徴とする泥流型土石流捕捉用砂防堰堤を提供する。
【００１７】
上記塞ぎ板は、上記スリットの上流側の砂防堰堤本体の面に当接して固定する構造又は上記スリット内の上記コンクリート基礎部上に起立して設けた扶壁で下流側から支持されて固定されている構造としてもよい。
【００１８】
本発明は上記課題を解決するために、スリットを有する砂防堰堤本体を備え、河川における土石流が流下し堆積する区間に構築して、河川の砂礫を捕捉する泥流型土石流捕捉用砂防堰堤であって、上記スリットの上流側開口の下部のみに開口部を残して、該上流側開口を塞ぐ塞ぎ用ネット又は塞ぎ用格子を設け、上記開口部の下流側に位置して上記スリット内のコンクリート基礎部上にマウントを設け、該マウントには１又は２以上の上流側と下流側とを貫通する溝を設けた構成であることを特徴とする泥流型土石流捕捉用砂防堰堤を提供する。
【００１９】
上記開口部の上縁部と上記マウントの上縁部との間に、補助ネットを張設した構成としてもよい。
【００２０】
本発明は上記課題を解決するために、スリットを有する砂防堰堤本体を備え、河川における土石流が流下し堆積する区間に構築して、河川の砂礫を捕捉する泥流型土石流捕捉用砂防堰堤であって、上記スリットの上流側開口の下部のみに開口部を残して、該上流側開口を塞ぐとともに、該開口部の下流側で上記スリット内のコンクリート基礎部上に下流側塞ぎ棒材を配設する骨組構造物を設けたことを特徴とする泥流型土石流捕捉用砂防堰堤を提供する。
【００２１】
上記骨組構造物は、上方に傾斜して起立し、河川横断方向に間隔をおいてコンクリート基礎部に固定された複数本の縦棒材と、該複数本の縦棒材を下流側から支え上記コンクリート基礎部に固定された複数本の支持棒材と、上記複数本の縦棒材に上下方向に隙間を形成するように間隔をおいて水平に取り付けられた複数本の上流側塞ぎ棒材と、上記複数本の支持棒材に直交して水平に取り付けられる上記下流側塞ぎ棒材と、から成る構成としてもよい。
【００２２】
【発明の実施の形態】
本発明に係る泥流型土石流捕捉用砂防堰堤の実施の形態を実施例に基づいて図面を参照して、以下に説明する。本発明に係る泥流型土石流捕捉用砂防堰堤は、河川における土石流が流下し堆積する区間に構築して、河川の土石流を捕捉する機能を有するものである。その概要をまず説明する。
【００２３】
本発明に係る泥流型土石流捕捉用砂防堰堤（以下、単に「砂防堰堤」とも言う。）の構成の第１の特徴は、砂防堰堤のスリットの上流側開口（スリットは砂防堰堤の上流側と下流側を貫通して形成されているが、「スリットの上流側開口」とは、上流に面してスリットが開口している部分を言う。）で開口下部のみに開口部を残して、該上流側開口を塞ぐ塞ぎ板を設け、しかもこの開口部は、横長の開口部（上下方向の幅より河川横断方向の幅の方が長い開口部）を設ける点である。このような構成の開口部の技術的な意義は次の通りである。
【００２４】
洪水時等で土石流が発生した際に、スリットの形成された砂防堰堤では堰上げしてその上流側が湛水すると、流下する土石の流下の勢いが減じられ砂礫、土砂が砂防堰堤の上流側で停留し捕捉でき砂防の目的を達成することができる。
【００２５】
ところで、洪水時等で土石流が発生した際の、河川を流れる水の単位時間当たりの水量は、発生から比較的初期時に急速にピークとなりその後、急速に低減してから徐々に平常の水量に戻る。
【００２６】
このような、河川の流下水量の変化において、砂防堰堤のスリットの上下方向の幅が大きいと、土石流が発生した際に流下する単位時間当たりの水の流量が多く（ピーク近くに）なるまで堰上げが生じないし、堰上げしても水の流量が少なくなるとすぐ堰上げが終了するので、堰上げしている時間が短いという問題が生じる。
【００２７】
この問題を解決するために、砂防堰堤のスリットの幅（横幅）を小さくすると、流下する単位時間当たりの水の流量がさほど多くなくても比較的早めに堰上げが開始し、その後水の流量が少なくなるまで堰上げが長い時間維持されるので、堰上げによる砂礫、土砂の捕捉効果が向上する。しかしながら、スリットの幅（横幅）を小さくすると、河川が平常の流れを呈している場合（掃流状態）でも、流木等による目詰まりが生じやすく流水の通過も阻止するという問題がある。
【００２８】
そこで、上記の通り、スリットの上流側開口の下部のみに横長の開口部を残して、該上流側開口を塞ぐ塞ぎ板を設ける構成とすれば、土石流が発生した際に堰上げが早めに生じかつ長時間維持するので、湛水による砂礫、土砂の捕捉効果が十分生じるとともに、河川が平常の流れを呈している場合でも流木は開口部を通過し易いので目詰まりが生じない。
【００２９】
さらに、本発明に係る泥流型土石流捕捉用砂防堰堤の構成の第２の特徴は、この開口部の下流に位置して堰堤のスリット内のコンクリート基礎部上に河川横断方向に伸びるマウント（補助堰堤）を設け、このマウントには、１又は２以上の上流側から下流側に貫通する溝（スリットに相当するもの。）を設けた構成である。
【００３０】
このマウントを設けることにより、スリット内でも堰上げ現象を生じさせてマウントの上流側に砂礫、土砂を堆積することができる。これにより、従来の暗渠に較べて開口部を大きく（開口部の開口面積を大きく）することができ、目詰まり等が生じにくくすることができる。なお、マウントの変形的な態様として、棒材を設ける構成としてもよい（後述の実施例３参照。）。以下、その具体的な構造を実施例１〜４で詳細に説明する。
【００３１】
（実施例１）
図１〜３で、本発明に係る泥流型土石流捕捉用砂防堰堤の実施例１の構成を説明する。この泥流型土石流捕捉用砂防堰堤１は、通常のコンクリートスリット砂防ダムを基本構造としている。即ち、図１において、泥流型土石流捕捉用砂防堰堤１は、その一部を二点鎖線（想像線）で示すようなコンクリートで形成された砂防堰堤本体２を有し、この砂防堰堤本体２には、河川の流水が通過するスリット３が、上流側と下流側とを貫通するように形成されている。
【００３２】
この実施例１では、スリット３を１つ有する砂防堰堤本体２を示しているが、河川の横断方向に複数のスリットを形成したものでもよい。
【００３３】
この泥流型土石流捕捉用砂防堰堤１では、スリット３の上流側開口の下部のみに開口部５を残して、上流側開口を塞ぐ塞ぎ板４を設けている。具体的には、コンクリートや鉄等の材料で形成された塞ぎ板４で、スリット３の上流側開口の上部を塞ぐように、砂防堰堤本体２の上流側の外面に沿って塞ぎ板４を当接する。そして、この塞ぎ板４を、その外面から図示しないアンカーボルト等で砂防堰堤本体２に固定する。これにより、スリット３の上流側開口の下部のみに開口部５を形成する。
【００３４】
要するに、この開口部５は、スリット３の上流端の上部を塞いで塞ぎ板４の下端（開口部の上縁）１１とコンクリート基礎部６との間に形成される。この開口部５は、上下方向の幅より横幅（河川横断方向の幅）の方が長い横長の形状をしており、平常（掃流時等）の河川の流水は、この開口部５を通過して流れる。
【００３５】
スリット３の上端は蓋７で閉じられている。即ち、砂防堰堤本体２のスリット３を形成する左右両側壁８、８の天端の間に蓋７が設けられている。この蓋７は、砂防堰堤本体２のスリット３を形成する左右両側壁の天端の上に載置するように取り付けてもよいし、左右両側壁８、８の内面に架設するように取り付けてもよい。蓋７は、コンクリートや鉄等の材料で形成されいる。
【００３６】
さらに、この泥流型土石流捕捉用砂防堰堤１では、開口部５に対して下流側且つスリット３内に位置して、スリット３の底部であるコンクリート基礎部６上にマウント９（補助堰堤）が形成されている。このマウント９は、上流側と下流側とを貫通する溝１０（スリット）が形成されており小規模の堰堤の構造をしている。即ち、マウント９を設けることにより、スリット３内でも堰上げ現象を生じさせ、これによりマウント９の上流側で砂礫、土砂を捕捉している。
【００３７】
マウント９の河川横断方向の幅（横幅）はスリット３の横幅とほぼ同じであり、マウント９の高さは、開口部５の高さ（スリット３の底面から開口部５の上縁迄の高さ。）とほぼ同じ又はそれ以下で、砂防堰堤１自体の規模によりも異なるが、およそ１〜２ｍ位である。マウント９は、コンクリートで形成するが、鉄、その他の材料で形成してもよい。
【００３８】
以上が実施例１の泥流型土石流捕捉用砂防堰堤１の基本的な構成であるが、塞ぎ板４の下端１１（開口部５の上縁）とマウント９の上流側の上縁部１２’との間に補助ネット１２を張設した構成としてもよい。この補助ネット１２’は、開口部５等に堆積した土砂が、湛水の水圧やスリットの上流側に貯留した土砂等による土圧により再移動することを防ぐ機能を有するものであり、流木片等も捕捉することができる。水圧が少なく、土圧の負荷が小さい場合は不要である。
【００３９】
実施例１の作用：
以上の構成から成る実施例１の泥流型土石流捕捉用砂防堰堤１の作用を、図２、３で説明する。図２は、河川に水量が多く土石流が発生した時（洪水時において土石流発生した際等）の砂防堰堤１の作用を説明する図である。スリット３の上流側開口の上部が塞ぎ板４で塞がれ、開口部５のみしか開口されていないので、土石流が発生した場合では、開口部５を通して流れる水の流量は少なく、図２（ａ）に示すように、塞ぎ板４によって流水が急速に堰上げされ、砂防堰堤１の上流側は湛水する。
【００４０】
流下してきた土石流の砂礫、土砂は、湛水域に入ると流下の勢いが減じ、図２（ｂ）に示すように堆積肩１３を形成しながら停留する。さらに、図２（ｃ）に示すように堆積が進行すると、砂礫、土砂は開口部５からマウント９にかけて入り込み堆積する。そして、湛水の水面はさらに上昇し、砂防堰堤１を越えて下流側に流下する。
【００４１】
このように砂防堰堤１によると、砂礫、土砂は、開口部５からスリット３内に入り込んでマウント９の上流側に堆積するので、この堆積した砂礫、土砂の近くまで下流側からアクセスし易く、堆積した砂礫、土砂の排除作業がし易い。
【００４２】
なお、河川の流れが平常の状態で流れている時（掃流状態）には、図３（ａ）に示すように、流水は開口部５を通過し、さらにマウント９の溝１０を通過して掃流する。この場合、マウント９は、小規模ながら堰上げする作用を行い、その上流側に砂礫、土砂を堆積するので、これを適宜下流側からアクセスして除去すれば、開口部５の詰まりを防止できる。これにより、開口部５の断面積は従来の暗渠よりも大きくすることができ、詰まりが生じにくくなる。
【００４３】
土石流が発生するほどではないが、河川の流水の流量が比較的多い時（中小出水時）は、図３（ｂ）に示すように流水は開口部５を通過してスリット３内に流入し、さらにマウント９を越えて下流に流れ出る。そして、流水は塞ぎ板４により開口部５の上縁を越えて堰上げして湛水が形成され、流下してきた砂礫、土砂は湛水域に入り堆積肩１３を形成しながら停留する。
【００４４】
しかし、この中小出水が停止した後（中小出水後）は、流下する流量が平常に戻るので、湛水の水面が下がり、流水は開口部５からマウント９の溝１０を通して流下する。この際、堆積した砂礫、土砂は、図３（ｃ）に示すように、流水と共に下流に徐々に流され排除される。
【００４５】
なお、流水とともに流されてくる流木１３’は、図３（ｄ）に示すように開口部５からスリット３内に流入し、マウント９の上流側で捕捉され滞留する。この捕捉された流木１３’は、砂防堰堤１の下流側からアクセスして比較的簡単に除去することができる。
【００４６】
（実施例２）
図４（ａ）は、本発明に係る泥流型土石流捕捉用砂防堰堤の実施例２の構成を説明する図である。この実施例２の泥流型土石流捕捉用砂防堰堤１４は、コンクリートで形成された砂防堰堤本体１５を有し、この砂防堰堤本体１５には、河川の流水が通過する流路となるスリット１６が形成されている。
【００４７】
この実施例２では、砂防堰堤本体１５のスリット１６の上流側開口の下部のみに開口部１７を残して、上流側開口を塞ぐ塞ぎ板１８を設けている。この塞ぎ板１８は、その背面１８’（下流面）において扶壁１９及び水平板２０の上流側の面に固定されて支持されている。
【００４８】
具体的には、砂防堰堤本体１５のスリット１６におけるコンクリート基礎部２１上に、河川横断方向（横幅方向）に間隔をおいて２つの扶壁１９が設けられており、この２つの扶壁１９に河川横断方向に伸びる水平板２０が２段にわたって配設されている。この２つの扶壁１９及び２段の水平板２０の上流側の面に塞ぎ板１８が固定されている。
【００４９】
砂防堰堤本体１５のスリット１６の上流側開口を塞ぎ板１８で塞いで下部のみに形成される開口部１７は、塞ぎ板１８の下端（開口部１７の上縁）とコンクリート基礎部２１との間の開口である。この開口部１７は、上下方向の幅より横幅（河川横断方向の幅）の方が長い横長の開口部であり、河川の流水はこの開口部１７を通過して流れる。
【００５０】
泥流型土石流捕捉用砂防堰堤１４では、開口部１７に対して下流側且つ砂防堰堤本体１５のスリット１６内に位置して、コンクリート基礎部２１（砂防堰堤本体１５のスリット１６の底部）上に、河川の横断方向に渡って伸びるマウント２２が形成されている。このマウント２２は、上流側と下流側とを貫通する溝２３（スリット）が複数形成されており、あたかも小規模のスリット付き堰堤の構造をしている。即ち、マウント２２を設けることにより、スリット１６内でも堰上げ現象を生じさせ、これによりマウント２２の上流側で砂礫、土砂を捕捉している。
【００５１】
実施例２の作用：
実施例２の泥流型土石流捕捉用砂防堰堤１４の作用は、実施例１とほぼ同じであり、その概要は、砂防堰堤１４のスリット１６の上流側開口を塞ぎ板１８で塞ぎ、スリット１６の上流側開口の下部のみに開口部１７を形成することにより、土石流が発生した際に流水の堰上げを早く、且つ長く維持し、これにより砂礫、土砂の流下の勢いを減じ砂防堰堤１４の上流側に砂礫、土砂を捕捉する。
【００５２】
開口部１７の下流側に設けたマウント２２は、小規模ながら堰上げする作用を行い、その上流側に砂礫、土砂を堆積するので、これを適宜下流側からアクセスして除去すれば、開口部１７の詰まりを防止できる。これにより、開口部１７の断面積は従来の暗渠よりも大きくすることができ、詰まりが生じにくくなる。マウント２２の上流側に捕捉されて貯留された砂礫、土砂は、砂防堰堤１４のスリット１６の下流側からアクセスできるから、その除去作業がし易い。
【００５３】
なお、実施例２の砂防堰堤１４は、コンクリート、鉄又はそれらの複合材等の板材を組み合わせて構築することができるので、工場等で部材を製造して、構築すべき河川現場で比較的簡単に組立することも可能となる。
【００５４】
（実施例３）
図４（ｂ）は、本発明に係る泥流型土石流捕捉用砂防堰堤の実施例３の構成を説明する図である。この実施例３の泥流型土石流捕捉用砂防堰堤２４は、実施例２の塞ぎ板１８、水平板２０、扶壁１９及びマウント２２から成る構造物の代わりに、骨組構造物２５を砂防堰堤本体のスリットに配置した構成を特徴とする。実施例３の砂防堰堤本体及びスリットは、実施例２の砂防堰堤本体１５及びスリット１６と同じであるので、この部分の符号は図４（ａ）を援用する。
【００５５】
この骨組構造物２５は、上方かつ下流に向けて傾斜起立し河川横断方向に間隔をおいてコンクリート基礎部２１に固定された複数本の縦棒材と、該複数本の縦棒材を下流側から支えコンクリート基礎部２１に固定された複数本の支持棒材と、上記複数本の縦棒材に上下方向に隙間を形成するように間隔をおいて水平に取り付けられた複数本の上流側塞ぎ棒材と、上記複数本の支持棒材に直交して水平に取り付けられる下流側塞ぎ棒材とから成る。
【００５６】
この骨組構造物２５は、実施例３では図４（ｂ）に示すように、棒材として鋼管を利用し、河川横断方向に隔設され傾斜して上方に起立してコンクリート基礎部２１に固定された２本の縦鋼管２６と、この２本の縦鋼管を下流側から支えコンクリート基礎部２１に固定された２本の支持鋼管２７と、２本の縦鋼管２７に上下方向に隔設して水平に取り付けられた複数の上流側塞ぎ鋼管２８と、２本の支持鋼管２７に直交して水平に取り付けられる下流側塞ぎ鋼管２９とから成る。
【００５７】
複数の上流側塞ぎ鋼管２８の互いの間隔ｄ１に対して、最下段の上流側塞ぎ鋼管２８とコンクリート基礎部２１との間隔ｄ２は大きく設けて、開口部３０（実施例２の開口部１７に相当する部分）を形成している。
【００５８】
一方、下流側塞ぎ鋼管２９は実施例２のマウント２２に相当するものであり、開口部１７の下流側に位置する。コンクリート基礎部２１に対する下流側塞ぎ鋼管２９の高さｈ２は、コンクリート基礎部２１に対する最下段の上流側塞ぎ鋼管２８’の高さｈ１より少なくとも低く形成し、開口部１７を通過してくる砂礫、土砂を捕捉する機能を有するものである。
【００５９】
実施例３の作用：
実施例３の泥流型土石流捕捉用砂防堰堤２４は、河川の状態が平常の流れの時（掃流時）には、実施例１、２と同様に開口部３０を通して流水は流れている。
【００６０】
実施例３の砂防堰堤２４では、スリット１６の上流側開口の下部のみに開口部３０を残して、上流側開口を複数段配設した上流側塞ぎ鋼管２８で塞ぐ構成としたので、土石流が発生した際には、上流側塞ぎ鋼管２８で土石流の先頭において流下してくる大きい砂礫、土砂を捕捉しその後、後続する砂礫、土砂を捕捉して貯留する。
【００６１】
この実施例３の骨組構造物２５によると、下流側に流水が抜けるために、水圧が軽減されるとともに、骨組構造物２５の上流側に土砂を停留しやすくなり捕捉効果が大きい。この骨組構造物によると、堰上げを利用することなく、砂礫、土砂と流水を分離し、砂礫、土砂のみマウントの上流側から除去することができる。
【００６２】
なお、土石流中の礫分が少ない場合には、上流側塞ぎ鋼管２８で砂礫、土砂は捕捉されないが、スリット１６の本来の堰上げにより湛水させて、流下してくる土石流の勢いを減じて、上流側塞ぎ鋼管２８の上流側に土砂を堆積することができる。
【００６３】
さらに、開口部３０を通して土石流を通過させ、開口部３０の下流側に設けた下流側塞ぎ鋼管２９によってもその上流側に砂礫、土砂を捕捉し貯留することができる。このようにして貯留された砂礫や土砂は、砂防堰堤のスリットの下流側からアクセスして除去作業が可能となる。なお、実施例３の砂防堰堤１４は、工場で鋼管から成る部品を製造して、構築すべき河川現場で比較的簡単に組立することも可能となる。
【００６４】
（実施例４）
図５は、本発明に係る泥流型土石流捕捉用砂防堰堤の実施例４の構成を説明する図である。この実施例４の泥流型土石流捕捉用砂防堰堤３１は、実施例１の変形例に相当しており、その特徴とする点は、砂防堰堤本体のスリットを上流側から閉じる部材として、実施例１の塞ぎ板４の代わりにエキスパンドメタル等、土石流を含む流水に対して強度を有するネット材を採用した構成である。
【００６５】
以下、その構成を詳細に説明すると、コンクリートで形成された砂防堰堤本体３２を有し、この砂防堰堤本体３２には、実施例１と同様に、河川の流水が通過する流路となるスリット３３が形成されている。スリット３３は、１つではなく河川の横断方向に複数のスリットを形成してもよい。
【００６６】
この泥流型土石流捕捉用砂防堰堤３１では、スリット３３の上流側開口の下部のみに開口部３４を残して、上流側開口を、エキスパンドメタル等のネット材で塞ぐ構成としている。具体的には、エキスパンドメタル等のネット材から成る塞ぎ用ネット３５でスリット３３の上流側開口の上部を塞ぐように、塞ぎ用ネット３５を砂防堰堤本体３２の上流端の外面に当接する。そして、この塞ぎ用ネット３５の周縁を、その上流側の外面からアンカーボルト等の留め具で砂防堰堤本体３２の上流端の面に固定する。
【００６７】
なお、この実施例４ではネット材を利用したが、土石流を含む流水に対して強度を有するものであれば、ネット材、格子材、又は流水のみ通過する蜂の巣状若しくはこれと同等の多数小孔の貫通形成された板材等を採用してもよい。
【００６８】
この開口部３４は、スリット３３の上流側において、塞ぎ用ネット３５の下端３６とコンクリート基礎部３７との間に形成された開口である。この開口部３４は、上下方向の幅より横幅（河川横断方向幅）の方が長い横長の開口部であり、平常の掃流状態では、河川の流水はこの開口部３４を通過して流れる。
【００６９】
さらに、この泥流型土石流捕捉用砂防堰堤３１では、実施例１と同様に、開口部３４に対して下流側且つスリット３３内に位置して、コンクリート基礎部３７（スリット３３の底部）上にマウント３８が形成されている。このマウント３８は、上流側と下流側とを貫通する溝３９（小規模のスリット）が形成されており、小規模の堰堤の構造をしている。即ち、マウント３８を設けることにより、スリット３３内でも堰上げ現象を生じさせ、これによりマウント３８の上流側で砂礫、土砂を捕捉している。
【００７０】
マウント３８の河川横断方向の幅（横幅）はスリット３３の幅とほぼ同じであり、マウント３８の高さは開口部３４の高さ（コンクリート基礎部３７から塞ぎ用ネット３５の下端３６迄の高さ。）とほぼ同じ又はそれより低く形成されている。マウント３８は、コンクリートで形成するが、鉄、その他の材料で形成してもよい。
【００７１】
泥流型土石流捕捉用砂防堰堤３１では、開口部３４の上縁部とマウント３８の上流側の上縁部との間に補助ネット４０を張設した構成としてもよい。この補助ネット４０は、開口部３４等に堆積した土砂が、水圧や土圧により再移動することを防ぐ機能を有するものであり、水圧の軽減、土圧の負荷が小さい場合は不要である。
【００７２】
実施例４の作用：
実施例４の泥流型土石流捕捉用砂防堰堤３１は、河川の状態が平常の流れの時には、実施例１〜３と同様に開口部３４を通して流水は流れている。
【００７３】
実施例４の砂防堰堤３１では、スリット３３の上流側開口の上部を塞ぎ用ネット３５で塞ぎ、スリット３３の上流側開口の下部のみ開口部３４を形成したので、土石流が発生した際には、塞ぎ用ネット３５で土石流の先頭において流下してくる大きい砂礫、土砂を捕捉しその後、後続する砂礫、土砂を塞ぎ用ネット３５の上流側において捕捉し、貯留する。
【００７４】
この実施例４の塞ぎ用ネット３５によると、下流側に流水が抜けるために、完全に塞ぐ構造に較べて水圧が軽減されるとともに、塞ぎ用ネット３５の上流側に土砂を停留しやすくなり捕捉効果が大きい。このような実施例４の構造によると、堰上げを利用することなく、砂礫、土砂と流水を分離し、砂礫、土砂のみマウントの上流側から除去することができる。
【００７５】
なお、土石流中の礫分が少ない場合には、塞ぎ用ネット３５で砂礫、土砂は捕捉されないが、スリット３３の本来の堰上げにより湛水させて、流下してくる土石流の勢いを減じて、塞ぎ用ネット３５の上流側に土砂を堆積することができる。
【００７６】
さらに、スリット３３内において開口部３４の下流側に設けたマウント３８は、小規模ながら堰上げする作用を行い、その上流側に砂礫、土砂を堆積するので、これを適宜下流側からアクセスして除去すれば、開口部３４の詰まりを防止できる。マウント２２の上流側に捕捉されて貯留された砂礫、土砂は、砂防堰堤１４のスリット１６の下流側からアクセスできるから、その除去作業がし易い。
【００７７】
なお、実施例４ではエキスパンドメタル等のネット材から成る塞ぎ用ネット３５を利用したので、スリット３３を塞ぐためにはネット材を張設すればよいので、その施工作業は比較的簡単となる。
【００７８】
以上、本発明に係る泥流型土石流捕捉用砂防堰堤の実施の形態を実施例に基づいて説明したが、本発明は、以上のような実施の形態に限定されるものではなく、特許請求の範囲の記載の技術的事項の範囲内でいろいろな実施の形態があることは言うまでもない。
【００７９】
【発明の効果】
本発明に係る泥流型土石流捕捉用砂防堰堤は、以上のような構成であるから、次のような効果が生じる。
（１）スリットの上方を塞ぐことにより、暗渠と同等の機能を持たせる。これにより、開口部が閉塞された後の上流からの土砂は、砂防堰堤の上流側で貯留させる。この土砂は再び移動することはない。
【００８０】
（２）開口部の下流側のスリット内にマウントを設け、このマウントでも堰上げ現象を発生させて、マウントの上流側に砂礫、土砂を堆積させ、スリット下部の開口部を閉塞させる。このため、スリットの開口部を暗渠より大きく取ることができるため、従来の暗渠より閉塞しにくくなる。土石流発生までにマウントの溝で捕捉された流木や土砂は、砂防堰堤の下流側からアクセス可能で、しかもマウントが低いことから除去作業が容易である。
【００８１】
（３）スリットの上流側開口を塞ぐ塞ぎ手段として、ネット材や骨組構造物等を設ける場合には、下流側に流水が抜けるために、水圧が軽減されるとともに、ネット材や骨組構造物等の上流側に土砂を停留しやすくなり捕捉効果が大きい。
【００８２】
（４）流下する土砂が砂礫分で構成される場合、塞ぎ板や塞ぎ用ネット等の塞ぎ手段の代わりに骨組構造物を設けることで、堰上げ上げ現象を必ずしも利用しなくても、石礫と流水を骨組構造で分離し、スクリーニングされた砂礫のみマウントの上流側で捕捉することができる。
【００８３】
（５）塞ぎ板の下端（開口部の上縁）とマウント上流側上縁との間に補助ネットを張設すれば、貯留された土砂が、スリット上流に貯留された土砂による堆砂圧や、湛水による水圧により、押し出されることを防止することができる。
【図面の簡単な説明】
【図１】本発明に係る泥流型土石流捕捉用砂防堰堤の実施例１を説明する図である。
【図２】実施例１の作用を説明する図である。
【図３】実施例１の作用を説明する図である。
【図４】（ａ）は本発明に係る泥流型土石流捕捉用砂防堰堤の実施例２を説明する図であり、（ｂ）は同じく実施例３を説明する図である。
【図５】本発明に係る泥流型土石流捕捉用砂防堰堤の実施例４を説明する図である。
【図６】従来例として鋼製透過型砂防ダムを説明する図である。
【図７】従来例としてコンクリートスリット砂防ダムを説明する図である。
【図８】従来例として暗渠付き砂防ダムを説明する図である。
【符号の説明】
１  実施例１の泥流型土石流捕捉用砂防堰堤
２、１５、３２  砂防堰堤本体
３、１６、３３、４９  スリット
４、１８  塞ぎ板
５、１７、３０、３４  開口部
６  コンクリート基礎部
７  蓋
８  左右両側壁
９、２２、３８  マウント
１０、３９  マウントの溝
１１  塞ぎ板の下端（開口部の上縁部）
１２、４０  補助ネット
１２’  マウントの上流側上縁部
１３、５０、５４  堆積肩
１４  実施例２の泥流型土石流捕捉用砂防堰堤
１８’塞ぎ板の背面
１９  扶壁
２０  水平板
２１  コンクリート基礎部
２３  マウントの溝
２４  実施例３の泥流型土石流捕捉用砂防堰堤
２５  骨組構造物
２６  縦鋼管
２７  支持鋼管
２８  上流側塞ぎ鋼管
２９  下流側塞ぎ鋼管
３１  実施例４の泥流型土石流捕捉用砂防堰堤
３５  塞ぎ用ネット
３６  塞ぎ用ネットの下端
３７  コンクリート基礎部
４１  鋼製透過型砂防ダム
４２  河床
４３  鋼製透過型砂防ダムの開口部
４４  巨礫
４５  土砂
４６  土石流
４７  コンクリートスリット砂防ダム
４８  コンクリート壁状体
５１  暗渠付き砂防ダム
５２  コンクリート製の砂防ダム
４３  孔
【図１】
2004316081.tif 000003
【図２】
2004316081.tif 000004
【図３】
2004316081.tif 000005
【図４】
2004316081.tif 000006
【図５】
2004316081.tif 000007
【図６】
2004316081.tif 000008
【図７】
2004316081.tif 000009
【図８】
2004316081.tif 000010